(57)【要約】【課題】非常時において住民又は居住者が避難用ハッチの上蓋を素早く開口でき、かつ、平常時における強風が吹く等の事象による不要な上蓋の開口及び振動を防ぐ。【解決手段】新設型ハッチ１は、平常時においては、梯子５が折畳まれた状態でハッチ本体２内部に収納されており、上蓋３及び下蓋４も閉塞した状態となっている。ここで、上蓋３とハッチ本体２が密着した状態で、上蓋３とハッチ本体２の両方にわたり、ハッチ貼付用シール２０及び３０が貼り付けることで、上蓋３をハッチ本体２側に押さえることができるため、強風が吹いたとしても上蓋３の開閉は生じない。【選択図】図６
2016077717.tif 000002
【特許請求の範囲】
【請求項１】
スラブに固定され上部及び下部が開口する本体と、開口した前記上部を開閉可能な上蓋とを有する避難用ハッチにおける、前記上蓋と前記本体とを固定するために、前記上蓋と前記本体の両方にわたって貼り付けされるハッチ貼付用シール。
【請求項２】
一方の面が粘着面であり、他方の面が露出面であり、
前記上蓋に貼り付けされる上蓋貼付部と、
前記本体に貼り付けされる本体貼付部と
から構成される請求項１に記載のハッチ貼付用シール。
【請求項３】
前記本体貼付部には、ミシン目が形成されている
請求項２に記載のハッチ貼付用シール。
【請求項４】
前記露出面には、前記上蓋の縁部に位置合わせするための折り目基準線が表示されている
請求項２又は３に記載のハッチ貼付用シール。
【請求項５】
前記折り目基準線は、複数種類のハッチの形状に対応させて複数表示されている
請求項４に記載のハッチ貼付用シール。
【請求項６】
前記粘着面に貼着された剥離紙の露出面には、
前記避難用ハッチに対する貼付位置及び使用条件が表示されている
請求項２、３、４又は５に記載のハッチ貼付用シール。
【発明の詳細な説明】
【技術分野】
【０００１】
本発明は、ベランダのスラブに設置される避難用ハッチに貼り付けられるハッチ貼付用シールに関する。
【背景技術】
【０００２】
中高層の集合住宅等にあっては、火災発生時などの緊急時に住民や居住者が上階から下階に迅速に避難して安全に屋外に逃げられるように、あるいは消防隊員が迅速に下階から上階に突入できるように、ベランダや上階のスラブなどに避難用のハッチが設置される。
【０００３】
このような避難用ハッチは、一般に上蓋の開口に伴って下蓋が開口する連動式の機構となっている。また、上蓋には、悪戯や不用意な動作によって上蓋が開口されることを防止するための安全ロックが設けられているものがある（例えば特許文献１）。このような連動式機構の避難用ハッチに備えられたロック機構は、火災発生時などの非常時に住民や居住者が即座に上蓋を開口できるようにすべく、わずかな力によって上蓋が少し開口されることでロックされる機構となっているタイプが存在する。
【特許文献１】特開２００９−１４２５１９号公報
【発明の概要】
【発明が解決しようとする課題】
【０００４】
従来のロック機構を有する避難用ハッチは、上蓋が少し開口されるまではロック機構は働かないものの、強風が吹く等のわずかな力によりロック機構が働く状態になるまで上蓋が開いた場合には、平常時でも上蓋及び下蓋が開口され、その状態が放置される可能性が生じるという問題がある。
【０００５】
一方、上蓋が開口されることに加えて、住民又は居住者等が上蓋の内側部分に取り付けられたチェーン掛け金具をはずすことを条件としてロックが働くタイプのものも存在する。このタイプのロック機構は、強風が吹く等のわずかな力によってのみでは、平常時であっても上蓋及び下蓋が開口され続けるという状態が生じる可能性は低いものの、強風が吹くことなどによる不要な上蓋の開閉を原因とする避難用ハッチ内部の損傷及び劣化、並びに振動による騒音が生じる問題がある。そして、使用者として女性や子供も想定しているため、上蓋本体の重さを増すことは不適当であるため、従来においては強風による不要な上蓋の開閉までも抑制する方法は提案されていなかった。
【０００６】
本発明は、上記問題点を鑑み提案されたものである。すなわち、非常時においては住民又は居住者が避難用ハッチの上蓋を素早く開口できるという利点を維持しつつ、平常時における強風が吹く等の事象による不要な上蓋の開口及び振動を防ぐことを目的とする。
【課題を解決するための手段】
【０００７】
上記の目的を達成するための本発明は、スラブに固定され上部及び下部が開口する本体と、開口した前記上部を開閉可能な上蓋とを有する避難用ハッチにおける、前記上蓋と前記本体とを固定するために前記上蓋と前記本体の両方にわたって、一枚又は二枚以上貼り付けされるハッチ貼付用シールである。前記ハッチ貼付用シールは、一方の面が粘着面であり他方の面が露出面であり、前記上蓋に貼り付けされる上蓋貼付部と、前記本体に貼り付けされる本体貼付部とから構成されるものが好ましく、本体貼付部にはミシン目が形成されているものがより好ましく、前記露出面に上蓋の縁部に位置合わせするための折り目基準線が１本又は２本以上表示されているものがさらに好ましく、前記粘着面に貼着された剥離紙の露出面に前記避難用ハッチに対する貼付位置及び使用条件が表示されたものが最も好ましい。
【発明の効果】
【０００８】
本発明では、ハッチ貼付用シールを上蓋と本体の両方にわたって貼り付けることで、上蓋を本体側に押さえることができるため、平常時における強風が吹いた際の上蓋の振動及び開口を無くすことが可能となる。また、本体貼付部にミシン目が形成されていると、使用者がミシン目を切断することで、非常時において容易に上蓋を開口することができる。さらに、露出面に折り目基準線が表示されていると、折り目基準線によって、使用者の上蓋に対するシールの位置合わせが容易となる。折り目基準線を複数種類のハッチの形状に対応させて複数設けると、ハッチの種類に合わせた位置合わせが可能となる。また、剥離紙の露出面に避難用ハッチに対する貼付位置及び使用条件が表示されていると、使用者が適正な貼付位置及び使用条件を容易に把握することも可能となる。
【図面の簡単な説明】
【０００９】
【図１】この発明に係るハッチ貼付用シールが貼り付けられる新設型避難用ハッチの、非常時における使用状態を示す斜視図である。
【図２】この発明に係るハッチ貼付用シールが貼り付けられる改修型避難用ハッチの、非常時における使用状態を示す斜視図である。
【図３】この発明に係るハッチ貼付用シールが貼り付けられる前の新設型避難用ハッチの、上蓋が閉じられた状態を示す斜視図である。
【図４】この発明に係るハッチ貼付用シールの平面図である。
【図５】この発明に係るハッチ貼付用シールの粘着面に貼着された剥離紙の平面図である。
【図６】新設型避難用ハッチの上蓋が閉じられ、この発明に係るハッチ貼付用シールが貼り付けられた状態を示す斜視図である。
【図７】避難用ハッチに貼り付けられたハッチ貼付用シールのミシン目が切り離された部分の拡大斜視図である。
【図８】ハッチ貼付用シールを貼った新設型ハッチの一部を示す平面図である。
【図９】ハッチ貼付用シールを貼った新設型ハッチの一部を示す右側部分拡大断面図である。
【図１０】ハッチ貼付用シールを貼った改修型ハッチの一部を示す平面図である。
【図１１】ハッチ貼付用シールを貼った改修型ハッチの一部を示す右側部分拡大断面図である。
【図１２】ハッチ貼付用シールを貼った改修型ハッチの一部を示す右側部分拡大断面図である。
【発明を実施するための形態】
【００１０】
図１に示す避難用ハッチ１は、新規にスラブ等に設置されるタイプのものである（以下、「新設型ハッチ１」とする。）。新設型ハッチ１は、ベランダ等のスラブに固定され上部及び下部が開口するハッチ本体２と、蝶番によりハッチ本体２の上部に接続される開閉可能な上蓋３と、蝶番によりハッチ本体２の下部に接続される開閉可能な下蓋４と、ハッチ本体２の内部に設置されている折り畳み可能な梯子５と、ハッチ本体２、上蓋３及び梯子５に接続された屈伸可能なアーム８と、ハッチ本体２の内部に設置されている梯子５の折り畳み動作を制御するハンドル６及びレバー７からなる制御機構とで主要部が構成されている。上蓋３の形状及びハッチ本体２の形状は長方形又は正方形であり、上蓋３の上蓋縦縁部３ｃ，３ｅの長さとハッチ本体２の本体縦縁部２ｃ，２ｅの長さとを比べると、上蓋縦縁部３ｃ，３ｅの長さの方がわずかに短い。また、上蓋３の上蓋横縁部３ｄの長さとハッチ本体２の本体横縁部２ｄの長さとを比べると、上蓋横縁部３ｄの長さの方がわずかに短い。上蓋３は、上蓋３の裏面に設置され使用者が梯子を降下させる際に把持することできる取っ手３ａと、上蓋３の側面に設置されている上蓋取っ手部分３ｂとを備えている。新設型ハッチ１は、屈伸可能なアーム８と蝶番により上蓋３の開閉運動が可能となっており、非常時において使用者が上蓋取っ手部分３ｂを掴み上蓋３を一定の角度まで開くことで、上蓋３が開いた状態でロックされる。そして、上蓋３がロックされることに連動して下蓋４が開口する。ついで、ハッチ本体２の内部のレバー７を押すことで、ハッチ本体２に収納されている梯子５が降下しながら一定の長さまで伸長していく。一度伸長した梯子５の収納は、ハンドル６を回転させ梯子４を屈曲させて行う。
【００１１】
図２に示す避難用ハッチ９は、スラブの既設枠部分１７を介して上蓋１１、ハッチ本体１０及び下蓋１２をスラブに固定するタイプのものである（以下、「改修型ハッチ９」とする。）。改修型ハッチ９は、ベランダ等のスラブに固定され上部及び下部が開口するハッチ本体１０と、蝶番によりハッチ本体１０の上部に接続される開閉可能な上蓋１１と、蝶番によりハッチ本体１０の下部に接続される開閉可能な下蓋１２と、ハッチ本体１０の内部に設置されている折り畳み可能な梯子１３と、ハッチ本体１０、上蓋１１及び梯子１１に接続された屈伸可能なアーム１６と、ハッチ本体１０の内部に設置されている梯子１３の折り畳み動作を制御するハンドル１４及びレバー１５からなる制御機構とで主要部が構成されている。上蓋１１の形状及びハッチ本体１０の形状は長方形又は正方形であり、上蓋１１の上蓋縦縁部１１ｃ，１１ｅの長さとハッチ本体１０の本体縦縁部１０ｃ，１０ｅの長さとを比べると、上蓋縦縁部１１ｃ，１１ｅの長さの方がかなり短い。また、上蓋１１の上蓋横縁部１１ｄの長さとハッチ本体１０の本体横縁部１０ｄの長さとを比べると、上蓋横縁部１１ｄの長さの方がかなり短い。上蓋１１は、上蓋１１の裏面に設置され使用者が梯子１３を降下する際に把持することできる取っ手１１ａと、上蓋１１の側面に設置されている上蓋取っ手部分１１ｂとを備えている。
【００１２】
図３に示すように、新設型ハッチ１は、平常時においては、図１に示した梯子５が折畳まれた状態でハッチ本体２の内部に収納されており、上蓋３及び下蓋４も閉塞した状態となっている。しかし、この状態では、強風に対して、上蓋に係る重力以外の抗力が存在しないため、容易に上蓋３の開閉が起こり、その都度新設型ハッチ１に物理的衝撃が加わることで騒音や新設型ハッチ１全体の劣化が生じる。なお、本現象は改修型ハッチ９でも同様に起こる。
【００１３】
図４に示される本発明に係るハッチ貼付用シール２０及び３０は、未使用時には剥離紙４０に貼着されている。一方の面が粘着面であり他方の面が露出面であるハッチ貼付用シール２０においては、露出面に折り目基準線２２及び折り目基準線２３が表示されている。
【００１４】
折り目基準線２２は、ハッチ貼付用シール２０の露出面を、ハッチ本体２に貼り付けられる新設型ハッチ用本体貼付部２４と上蓋３に貼り付けられる新設型ハッチ用上蓋貼付部２５とに区分けする。折り目基準線２２は、新設型ハッチ１に対してハッチ貼付用シール２０を貼り付ける場合に、ハッチ貼付用シール２０を上蓋３の上蓋縦縁部３ｅ又は上蓋横縁部３ｄに位置合わせするための目印となるものである。
【００１５】
折り目基準線２３は、ハッチ貼付用シール２０の露出面を、ハッチ本体１０に貼り付けられる改修型ハッチ用本体貼付部２６と上蓋１１に貼り付けられる改修型ハッチ用上蓋貼付部２７とに区分けする。折り目基準線２３は、改修型ハッチ９に対してハッチ貼付用シール２０を貼り付ける場合に、ハッチ貼付用シール２０を上蓋１１の上蓋縦縁部１１ｅ又は上蓋横縁部１１ｄに位置合わせするための目印となるものである。折り目基準線２２に加えて折り目基準線２３を表示したことで、新設型ハッチ１及び改修型ハッチ９のいずれに対しても、ハッチ貼付用シール２０の貼付位置を位置決めすることができる。なお、折り目基準線の本数は二本に限定されるものではない。ハッチの種類が３種類以上ある場合は、折り目基準線も、露出面に３本以上表示される。新設型ハッチ用本体貼付部２４と改修型ハッチ用本体貼付部２６とが重なる部分には、ミシン目２１が形成されている。
【００１６】
同じく図４で示すように、一方の面が粘着面であり他方の面が露出面であるハッチ貼付用シール３０においては、露出面に折り目基準線３２及び折り目基準線３３が表示されている。
【００１７】
折り目基準線３２は、ハッチ貼付用シール３０の露出面を、ハッチ本体１０に貼り付けられる新設型ハッチ用本体貼付部３４と上蓋１１に貼り付けられる新設型ハッチ用上蓋貼付部３５とに区分けする。折り目基準線３２は、改修型ハッチ９に対してハッチ貼付用シール３０を貼り付ける場合に、ハッチ貼付用シール３０を上蓋１１の上蓋縦縁部１１ｃ又は上蓋横縁部１１ｄに位置合わせするための目印となるものである。
【００１８】
折り目基準線３３は、ハッチ貼付用シール３０の露出面を、ハッチ本体１０に貼り付けられる改修型ハッチ用本体貼付部３６と上蓋１１に貼り付けられる改修型ハッチ用上蓋貼付部３７とに正確に区分けする。折り目基準線３３は、改修型ハッチ９に対してハッチ貼付用シール３０を貼り付ける場合に、ハッチ貼付用シール３０を上蓋１１の上蓋縦縁部１１ｃ又は上蓋横縁部１１ｄに位置合わせするための目印となるものである。折り目基準線３２に加えて折り目基準線３３を表示したことで、新設型ハッチ１及び改修型ハッチ９のいずれに対しても、ハッチ貼付用シール３０の貼付位置を位置決めすることができる。なお、折り目基準線の本数は二本に限定されるものではない。ハッチの種類が３種類以上ある場合は、折り目基準線も、露出面に３本以上表示される。新設型ハッチ用本体貼付部３４と改修型ハッチ用本体貼付部３６とが重なる部分には、ミシン目３１が形成されている。
【００１９】
図５で示すように、剥離紙４０の露出面には、折り目基準線２２，３２を用いた貼付位置説明表示４１及び使用条件説明表示４２が記載されている。貼付位置説明表示４１には、図１に示した上蓋３及び図２に示した上蓋１１に対するハッチ貼付用シール２０及び３０の貼付位置の例や、ハッチ本体２，１０に対する好ましい貼り付け方が図示されている。ハッチ貼付用シール２０，３０の露出面は、ポリエステルなどの防水素材でラミネート加工されているものが好ましい。
【００２０】
図１及び図３に示した新設型ハッチ１にハッチ貼付用シール２０及び３０を貼付する場合の例を図６に示す。使用者は、図４に示した剥離紙４０からハッチ貼付用シール３０を剥がし、新設型避難用ハッチ１の上蓋３が閉じられている状態で、ハッチ貼付用シール３０の折り目基準線３２を上蓋縦縁部３ｃに合わせてから、上蓋３に対して新設型ハッチ用上蓋貼付部３５を貼り付ける。ついで、ハッチ貼付用シール３０を折り目基準線３２で屈曲させて新設型ハッチ用本体貼付部３４をハッチ本体２の右側面２ｆに貼り付ける。また、図４に示した剥離紙４０からハッチ貼付用シール２０を剥がし、ハッチ貼付用シール２０の折り目基準線２２を上蓋縦縁部３ｅに合わせてから、上蓋３に対して新設型ハッチ用上蓋貼付部２５を貼り付ける。ついで、ハッチ貼付用シール２０を折り目基準線２２で曲折させて新設型ハッチ用本体貼付部２４を本体左側面２ｈに貼り付ける。これで上蓋３はハッチ本体２との隙間がない状態で固定され、強風が吹いたとしても上蓋３の開閉は生じない。ハッチ貼付用シール２０又は３０は、上蓋横縁部３ｄに折り目基準線２２又は３２を合わせて貼り付けられてもよく、この場合は一枚のみ貼り付けるようにしてもよいが、上蓋３の開閉を確実に防止するために、二枚以上貼り付けることが好ましい。さらに、ハッチ貼付用シール２０とハッチ貼付用シール３０とが、上蓋縦縁部３ｃと平行な上蓋３上の中心線を挟んで対称となる位置で、上蓋縦縁部３ｃに折り目基準線３２を合わせてハッチ貼付用シール３０が、上蓋縦縁部３ｅに折り目基準線２２を合わせてハッチ貼付用シール２０が、それぞれ貼り付けられるのがより好ましい。
【００２１】
非常時には、使用者がハッチ貼付用シール２０及び３０を剥がし又は切断し、図１に示した取っ手部分３ｂを掴み上蓋３を持ち上げることで、上蓋３を開口することができる。
【００２２】
また、例えばハッチ貼付用シール３０を貼り付けることで強風が吹いても上蓋３の開閉を生じさせないことに加え、本体貼付部３４にミシン目３１を形成したことにより、図７で示すように、使用者がミシン目３１を切り離すことで、上蓋３とハッチ本体２とが固定された状態を容易に解除でき、非常時における上蓋３の開口を迅速行うことができる。
【００２３】
図１、８及び９で示すように、新設型ハッチ１においては、上蓋３の上蓋縦縁部３ｃ及び３ｅの長さは、ハッチ本体２の本体縦縁部２ｃ及び２ｅの長さよりそれぞれわずかに短いのみであり、上蓋３の上蓋横縁部３ｄの長さは、ハッチ本体２の本体横縁部２ｄの長さよりわずかに短いのみである。そのため、図９に示すように、上蓋３の上蓋縦縁部３ｃとハッチ本体２の右側面２ｆ、上蓋横縁部３ｄと本体正面２ｇ、及び上蓋縦縁部３ｅと左側面２ｈとの間で段差はほとんど生じない。そこで、例えばハッチ貼付用シール３０を新設型ハッチ１に貼り付ける場合には、折り目基準線３２を上蓋縦縁部３ｃに合わせてから上蓋３に対して上蓋貼付部３５を貼り付け、ついで上蓋縦縁部３ｃでハッチ貼付用シール３０を折り曲げれば、右側面２ｆに対して本体貼付部３４のほとんどが貼り付くので、図８及び９に示すようにハッチ本体２、上蓋３及びハッチ貼付用シール３０の３つが密着して固定される。
【００２４】
さらに、図２、１０及び１１に示すように、改修型ハッチ９においては、上蓋１１の上蓋縦縁部１１ｃ及び１１ｅの長さは、ハッチ本体１０の本体縦縁部１０ｃ及び１０ｅの長さよりもそれぞれかなり短く、上蓋１１の上蓋横縁部１１ｄの長さは、ハッチ本体１０の本体横縁部１０ｄの長さもかなり短い。このため、改修型ハッチ９では、上蓋１１を閉じた場合に、上蓋縦縁部１１ｃと本体右側面１０ｆ、上蓋横縁部１１ｄと本体正面１０ｇ、及び上蓋縦縁部１１ｅと本体左側面１０ｈとの間でそれぞれ段差が生じる。したがって、ハッチ本体１０、上蓋１１及びハッチ貼付用シール２０又は３０の３つを密着させて固定するためには、各縁部と各面との間の段差により生じた幅５０、幅５１又は幅５２の分だけハッチ貼付用シール２０，３０の長さを調整して貼り付ける必要がある。
【００２５】
例えば、図１２に示すように改修型ハッチ９に対して、折り目基準線３２を上蓋縦縁部１１ｃに合わせてから上蓋１１に対して新設型ハッチ用上蓋貼付部３５を貼り付け、ついで上蓋縦縁部１１ｃでハッチ貼付用シール３０を折り曲げてハッチ本体１０にハッチ貼付用シール３０を貼り付けた場合、新設型ハッチ用本体貼付部３４をハッチ本体１０に対して十分に貼り付けることができない。
【００２６】
そこで、図１０及び１１に示すように、例えばハッチ貼付用シール３０を改修型ハッチ９に貼り付ける場合には、折り目基準線３３を上蓋縦縁部１１ｃに合わせてから改修型ハッチ用上蓋貼付部３７を上蓋１１に貼り付けることで、ハッチ貼付用シール３０の貼付位置を適切なものとすることができる。そして、折り目基準線３３においてハッチ貼付用シール３０を曲折させ、改修型ハッチ用本体貼付部３６を、上蓋３の上蓋側面３ｆ及びハッチ本体１０の本体上面１０ｉに貼着する。改修型ハッチ用本体貼付部３６の長手方向長さが新設型ハッチ用本体貼付部３４の長手方向長さより長いため、幅５０に対して改修型ハッチ用本体貼付部３６を十分に貼り付けることができる。
【００２７】
すなわち、折り目基準線が１本しか設けられていないものに比べて、折り目基準線を複数設けたハッチ貼付用シール２０，３０は、新設型ハッチ１か改修型ハッチ９かの種類によらず貼付位置を調整してシールを貼り付けられることで、例えばハッチ貼付用シール３０によるハッチ本体１０と上蓋１１との固定をより強固なものとすることができる点で優位である。なお、例えば折り目基準線３２とハッチ貼付用シール３０露出部との配色は補色関係にあるものが、使用者が素早く判断できるため好ましい。
【符号の説明】
【００２８】
１  新設型ハッチ
２  ハッチ本体
２ｃ  本体縦縁部
２ｄ  本体横縁部
２ｅ  本体縦縁部
２ｆ  本体右側面
２ｇ  本体正面
２ｈ  本体左側面
３  上蓋
３ａ  取っ手
３ｂ  上蓋取っ手部分
３ｃ  上蓋縦縁部
３ｄ  上蓋横縁部
３ｅ  上蓋縦縁部
３ｆ  上蓋側面
４  下蓋
５  梯子
６  ハンドル
７  レバー
８  アーム
９  改修型避難用ハッチ
１０  ハッチ本体
１０ｃ  本体縦縁部
１０ｄ  本体横縁部
１０ｅ  本体縦縁部
１０ｆ  本体右側面
１０ｇ  本体正面
１０ｈ  本体左側面
１０ｉ  本体上面
１１  上蓋
１１ａ  取っ手
１１ｂ  上蓋取っ手部分
１１ｃ  上蓋縦縁部
１１ｄ  上蓋横縁部
１１ｅ  上蓋縦縁部
１２  下蓋
１３  梯子
１４  ハンドル
１５  レバー
１６  アーム
１７  スラブ既設枠部分
２０  ハッチ貼付用シール
２１  ミシン目
２２  折り目基準線
２３  折り目基準線
２４  新設型ハッチ用本体貼付部
２５  新設型ハッチ用上蓋貼付部
２６  改修型ハッチ用本体貼付部
２７  改修型ハッチ用上蓋貼付部
３０  ハッチ貼付用シール
３１  ミシン目
３２  折り目基準線
３３  折り目基準線
３４  新設型ハッチ用本体貼付部
３５  新設型ハッチ用上蓋貼付部
３６  改修型ハッチ用本体貼付部
３７  改修型ハッチ用上蓋貼付部
４０  剥離紙
４１  貼付位置説明表示
４２  使用条件説明表示
５０  幅
５１  幅
５２  幅
【図１】
2016077717.tif 000003
【図２】
2016077717.tif 000004
【図３】
2016077717.tif 000005
【図４】
2016077717.tif 000006
【図５】
2016077717.tif 000007
【図６】
2016077717.tif 000008
【図７】
2016077717.tif 000009
【図８】
2016077717.tif 000010
【図９】
2016077717.tif 000011
【図１０】
2016077717.tif 000012
【図１１】
2016077717.tif 000013
【図１２】
2016077717.tif 000014